(57)【要約】【課題】複数個のＬＥＤチップ１４，１４ａ〜１４ｅ．２２を光源として備え、装飾効果に優れた装飾用ＬＥＤ電球１０，２０を提供すること【解決手段】複数のＬＥＤチップ１４，１４ａ〜１４ｅ．２２をワイヤ１６，２１，２３に固着し、ワイヤ１６，２１，２３を撓めてＬＥＤチップ１４，１４ａ〜１４ｅ．２２をドーム１１内に散らばるように配置する。ＬＥＤチップ１４が点滅するので、ドーム１１はあたかも星が瞬いて輝く天球儀のごとき景観が出現し、インテリアとして高い装飾効果を奏することができる。【選択図】図１
2018133268.tif 000002
【特許請求の範囲】
【請求項１】
光源用の複数個のＬＥＤチップを覆う透明又は半透明のドームと、ドームの底部に取り付けたソケットと、ソケットの内部に設けられ、前記複数個のＬＥＤチップを点灯制御又は消灯制御する駆動回路を供えた装飾用ＬＥＤ電球であって、
複数個のＬＥＤチップと前記駆動回路を電気的に接続するリード線を兼ねるワイヤに各ＬＥＤチップを固着し、該ワイヤをドーム内で延伸することにより複数個のＬＥＤチップをドーム内に散らばせたことを特徴とする装飾用ＬＥＤ電球。
【請求項２】
前記ドームの内部と外部を連通する通気孔をドーム又はソケットに形成したことを特徴とする請求項１に記載の装飾用ＬＥＤ電球。
【請求項３】
前記各ＬＥＤチップがフェードアウトとフェードインを繰り返すように点滅制御することを特徴とする請求項１に記載の装飾用ＬＥＤ電球。
【請求項４】
前記ワイヤに固着されて一本のチップ列を形成する複数個の各ＬＥＤチップを、一のＬＥＤチップが点滅した後に後続の隣接するＬＥＤチップが点滅するように点滅制御することを特徴とする請求項１に記載の装飾用ＬＥＤ電球。
【発明の詳細な説明】
【技術分野】
【０００１】
本発明は複数個のＬＥＤチップを光源として備える装飾用ＬＥＤ電球に関する。
【背景技術】
【０００２】
近時、複数個のＬＥＤチップを光源として備えたＬＥＤ電球が広く実用に供されている。例えば、特開２０１５−２６４２３号公報には、複数個のＬＥＤチップを実装した複数枚のモジュール基板をソケットに立てて設けるとともに光拡散部材で覆い、このソケットをグローブの底部に取り付け、ソケットの内部に複数個のＬＥＤチップを点灯制御する駆動回路を供えたＬＥＤ電球が開示されている。
また、特許第５６８９５２４号公報には、ソケットに支柱を立設し、複数個のＬＥＤチップを直列接続したＬＥＤチップ列を基板に搭載して構成した複数本のフィラメントを、リード線を兼ねるワイヤで支柱に吊り下げるように取り付け、ソケットをグローブの底部に取り付け、ソケットの内部にＬＥＤチップを点灯制御する駆動回路を設けたＬＥＤ電球が開示されている。
【先行技術文献】
【特許文献】
【０００３】
【特許文献１】特開２０１５−２６４２３号公報
【特許文献２】特許第５６８９５２４号公報
【発明の概要】
【発明が解決しようとする課題】
【０００４】
上記した従来のＬＥＤ電球は本来の用途が照明灯であるので、ＬＥＤチップを実装した複数枚のモジュール基板や、複数本のフィラメントが全体として一つの光源のように点灯する。そのため、インテリアとして用いるには、その装飾効果は不十分である。
本発明はかかる点に鑑み、複数個のＬＥＤチップを光源として備え、装飾効果に優れた装飾用ＬＥＤ電球を提供することを目的とする。
【課題を解決するための手段】
【０００５】
請求項１に記載の発明は、
光源用の複数個のＬＥＤチップを覆う透明又は半透明のドームと、ドームの底部に取り付けたソケットと、ソケットの内部に設けられ、前記複数個のＬＥＤチップを点灯制御又は消灯制御する駆動回路を供えた装飾用ＬＥＤ電球であって、
複数個のＬＥＤチップと前記駆動回路を電気的に接続するリード線を兼ねるワイヤに各ＬＥＤチップを固着し、該ワイヤをドーム内で延伸することにより、複数個のＬＥＤチップをドーム内に散らばせたことを特徴とする。
【０００６】
請求項２に記載の発明は、請求項１に記載の装飾用ＬＥＤ電球において、
前記ドームの内部と外部を連通する通気孔をドーム又はソケットに形成したことを特徴とする。
【０００７】
請求項３に記載の発明は、請求項１に記載の装飾用ＬＥＤ電球において、
前記各ＬＥＤチップがフェードアウトとフェードインを繰り返すように点滅制御することを特徴とする。
【０００８】
請求項４に記載の発明は、請求項１に記載の装飾用ＬＥＤ電球において、
前記ワイヤに固着されて一本のチップ列を形成する複数個の各ＬＥＤチップを、一のＬＥＤチップが点滅した後に後続の隣接するＬＥＤチップが点滅するように点滅制御することを特徴とする。
【発明の効果】
【０００９】
請求項１に記載の発明に係る装飾用ＬＥＤ電球によれば、ＬＥＤチップの点灯によりドーム内に多数の輝点が形成される。各ＬＥＤチップはドーム内に散らばっているので、ＬＥＤチップを点滅させると、ドームはあたかも星が輝く天球儀のごとき景観が出現するので、インテリアとして高い装飾効果を奏することができる。
【００１０】
請求項２に記載の発明によれば、通気孔によってドームの内外が連通されるので、ＬＥＤチップの点灯に伴う発熱でドーム内の空気の温度が上昇してドームの内外の空気に温度差が生じても、通気孔を通してドーム外からドーム内に外気が流入する。そのため、ドームの内外の温度差が緩和されるので、ドーム表面の曇りを防止できる。
【００１１】
請求項３に記載の発明によれば、各ＬＥＤチップの輝度が漸減と漸増を繰り返すフェード効果により、より高い装飾効果を奏することができる。
【００１２】
請求項４に記載の発明によれば、一本のチップ列を形成するＬＥＤチップがチップ列の前から後ろへと順に点滅するので、あたかも夜空の流れ星のごとき景観がドーム内に出現する。そのため、より高い装飾効果を奏することができる。
【図面の簡単な説明】
【００１３】
【図１】本発明の第１実施例に係る装飾用ＬＥＤ電球を示す断面図である。
【図２】同装飾用ＬＥＤ電球の樹脂モールドＬＥＤチップを示す拡大図である。
【図３】同装飾用ＬＥＤ電球の回路図である。
【図４】同装飾用ＬＥＤ電球の樹脂モールドＬＥＤチップの駆動電流の波形図である。
【図５】同装飾用ＬＥＤ電球の他の回路図である。
【図６】同装飾用ＬＥＤ電球の樹脂モールドＬＥＤチップの駆動電流の他の波形図である。
【図７】本発明の第２実施例に係る装飾用ＬＥＤ電球を示す断面図である。
【実施例１】
【００１４】
以下に本発明を図面に基づき説明する。図１には本発明の第１実施例に係る装飾用ＬＥＤ電球１０が示されている。当該装飾用ＬＥＤ電球１０は、透明ガラス製のドーム１１と、ドーム１１の底部に接着して取り付けたリング状の樹脂アタッチメント１２と、樹脂アタッチメント１２に嵌合して接着したソケット１３と、複数個の樹脂モールドＬＥＤチップ１４と、これらの樹脂モールドＬＥＤチップ１４を点灯制御又は消灯制御する駆動回路１５を備えている。
【００１５】
樹脂モールドＬＥＤチップ１４は、リード線を兼ねるワイヤ１６を介して駆動回路１５に接続されている。図２に拡大して示すように、各樹脂モールドＬＥＤチップ１４は２本の端子１４ａを有し、端子１４ａがワイヤ１６に溶接されている。ワイヤ１６は駆動回路１５からドーム１１に延伸し、可撓性を有するので、適宜の形状にワイヤ１６を撓めることにより、ワイヤ１６に固着されている複数個の樹脂モールドＬＥＤチップ１４がドーム１１内に散らばって配置されている。
【００１６】
ドーム１１の頂部には通気孔１１ａが形成されている。また、樹脂アタッチメント１２と、ソケット１３の開口部の周囲に、それぞれ複数個の通気孔１２ａ，１３ａが形成され、樹脂アタッチメント１２の通気孔１２ａとソケット１３の通気孔１３ａが連通している。これらの通気孔１１ａ，１２ａ，１３ａによってドーム１１の内部と外部が連通されている。
【００１７】
図３に装飾用ＬＥＤ電球１０の回路構成を示す。ワイヤ１６を介して直列接続された５個の樹脂モールドＬＥＤチップ１４からなるチップ列が２列形成されている。図４の（Ａ）（Ｂ）（Ｃ）に各チップ列に給電される駆動電流の波形の一例を模式的に示す。図４の（Ａ）（Ｂ）に示すようにチップ列に駆動電流が給電されると、５個の樹脂モールドＬＥＤチップ１４は、高輝度の点灯継続状態、短時間の輝度半減状態、短時間の消灯状態、短時間の低輝度状態が適宜のタイミングで出現する。また、図４の（Ｃ）に示す波形の駆動電流が給電されると、駆動電流が最大値から漸減して０となり、その後最大値まで漸増するので、５個の樹脂モールドＬＥＤチップ１４の輝度が徐々に暗くなって消灯するフェードアウトと、消灯状態から徐々に明るくなるフェードインを繰り返す。
【００１８】
本実施例に係る装飾用ＬＥＤ電球１０の構成は以上の通りであって、樹脂モールドＬＥＤチップ１４の点灯によりドーム１１内に多数の輝点が形成される。各樹脂モールドＬＥＤチップ１４は、ドーム１１内に散らばっているので、図４の（Ａ）（Ｂ）に示す波形の駆動電流を樹脂モールドＬＥＤチップ１４に給電すると、樹脂モールドＬＥＤチップ１４が点滅するので、ドーム１１はあたかも星が瞬いて輝く天球儀のごとき景観が出現し、インテリアとして高い装飾効果を奏することができる。また、図４の（Ｃ）に示す波形の駆動電流を樹脂モールドＬＥＤチップ１４に給電すると、各樹脂モールドＬＥＤチップ１４の輝度が漸減と漸増を繰り返すフェード効果により、より高い装飾効果を奏することができる。
【００１９】
通気孔１１ａ，１２ａ，１３ａによってドーム１１の内外が連通されるので、樹脂モールドＬＥＤチップ１４の点灯に伴う発熱でドーム１１内の空気の温度が上昇してドーム１１の内外の空気に温度差が生じても、通気孔１１ａ，１２ａ，１３ａを通してドーム１１外からドーム１１内に外気が流入する。そのため、ドーム１１の内外の温度差が緩和されるので、ドーム１１の表面の曇りを防止できる。
【００２０】
上記第１実施例に係る装飾用ＬＥＤ電球１０では、複数個の樹脂モールドＬＥＤチップ１４を直列に接続したチップ列を用いたが、図５に示すように、各樹脂モールドＬＥＤチップ１４ａ〜１４ｅを並列接続したチップ列を用い、図６に示すように、時間差を置いて各樹脂モールドＬＥＤチップ１４ａ〜１４ｅに駆動電流を給電すると、樹脂モールドＬＥＤチップ１４ａが一回点滅した後に、後続の隣接する樹脂モールドＬＥＤチップ１４ｂが一回点滅するように点滅制御される。同様にして、一本のチップ列を形成する樹脂モールドＬＥＤチップ１４ａ〜１４ｅがチップ列の前から後ろへと順に点滅するので、あたかも夜空の流れ星のごとき景観がドーム１１内に出現する。そのため、より高い装飾効果を奏することができる。
【実施例２】
【００２１】
本発明の第２実施例に係る装飾用ＬＥＤ電球２０を図７に示す。当該装飾用ＬＥＤ電球２０では、ワイヤ２１に１２個の球状の樹脂モールドＬＥＤチップ２２が固着されてチップ列を形成し、各樹脂モールドＬＥＤチップ２２が直列接続されている。また、ワイヤ２３に７個の球状の樹脂モールドＬＥＤチップ２２が固着されてチップ列を形成している。各チップ列はコネクタ２４，２５を介して駆動回路１５に接続されている。
なお、本実施例に係る装飾用ＬＥＤ電球２０は、以上説明したように、樹脂モールドＬＥＤチップ２２の形状、数、散らばり方、コネクタ２４，２５の有無に違いがあるものの、他の構成は第１実施例に係る装飾用ＬＥＤ電球１０と同じであるので、同一の構成要素に同一の符号を付して説明を省略する。
【００２２】
図の簡略化のため、第１実施例に係る装飾用ＬＥＤ電球１０では、１０個の樹脂モールドＬＥＤチップ１４を図１に示し、第２実施例に係る装飾用ＬＥＤ電球２０では、１９個の樹脂モールドＬＥＤチップ２２を図７に示したが、樹脂モールドＬＥＤチップ１４，２２が多ければ、より装飾用ＬＥＤ電球１０，２０の装飾効果を高めることができる。
【符号の説明】
【００２３】
１０，２０…装飾用ＬＥＤ電球
１１…ドーム
１１ａ…通気孔
１２…樹脂アタッチメント
１２ａ…通気孔
１３…ソケット
１３ａ…通気孔
１４，１４ａ〜１４ｅ，２２…樹脂モールドＬＥＤチップ
１５…駆動回路
１６，２１，２３…ワイヤ
２４，２５…コネクタ
【図１】
2018133268.tif 000003
【図２】
2018133268.tif 000004
【図３】
2018133268.tif 000005
【図４】
2018133268.tif 000006
【図５】
2018133268.tif 000007
【図６】
2018133268.tif 000008
【図７】
2018133268.tif 000009